(57)【特許請求の範囲】
【請求項１】
電話帳を記憶する記憶部と、
親機と無線通信を行う第１無線部と、
第１制御部と、を備える子機と、
前記子機と無線通信を行う第２無線部と、
報知部と、
第２制御部と、を備える前記親機と、を備え、
前記第２制御部は、発信者番号を受信した場合、前記第２無線部を介して、発信者番号を前記子機に送信し、
前記第１制御部は、前記第１無線部を介して、発信者番号を受信した場合、前記記憶部に記憶されている電話帳から、発信者番号が含まれる電話帳を検索し、該当する電話帳を、前記第１無線部を介して、前記親機に送信し、
前記第２制御部は、前記第２無線部を介して、電話帳を受信した場合、前記報知部により、電話帳に含まれる情報を報知し、
前記子機は、複数であり、
前記第２制御部は、発信者番号を受信した場合、前記第２無線部を介して、発信者番号を複数の前記子機に送信し、
前記第２制御部は、前記第２無線部を介して、複数の電話帳を受信した場合、複数の電話帳からいずれか１つを選択し、前記報知部により、選択した電話帳に含まれる情報を報知し、
前記第２制御部は、前記第２無線部を介して、複数の電話帳を受信した場合、文字数が最も多い名前が含まれる電話帳を選択し、前記報知部により、選択した電話帳に含まれる情報を報知することを特徴とする電話機。
【請求項２】
電話帳を記憶する記憶部と、
親機と無線通信を行う第１無線部と、
第１制御部と、を備える子機と、
前記子機と無線通信を行う第２無線部と、
報知部と、
第２制御部と、を備える前記親機と、を備え、
前記第２制御部は、発信者番号を受信した場合、前記第２無線部を介して、発信者番号を前記子機に送信し、
前記第１制御部は、前記第１無線部を介して、発信者番号を受信した場合、前記記憶部に記憶されている電話帳から、発信者番号が含まれる電話帳を検索し、該当する電話帳を、前記第１無線部を介して、前記親機に送信し、
前記第２制御部は、前記第２無線部を介して、電話帳を受信した場合、前記報知部により、電話帳に含まれる情報を報知し、
前記子機は、複数であり、
前記第２制御部は、発信者番号を受信した場合、前記第２無線部を介して、発信者番号を複数の前記子機に送信し、
前記第２制御部は、前記第２無線部を介して、複数の電話帳を受信した場合、複数の電話帳からいずれか１つを選択し、前記報知部により、選択した電話帳に含まれる情報を報知し、
前記第２制御部は、前記第２無線部を介して、複数の電話帳を受信した場合、文字数が最も少ない名前が含まれる電話帳を選択し、前記報知部により、選択した電話帳に含まれる情報を報知することを特徴とする電話機。
【請求項３】
電話帳を記憶する記憶部と、
親機と無線通信を行う第１無線部と、
第１制御部と、を備える子機と、
前記子機と無線通信を行う第２無線部と、
報知部と、
第２制御部と、を備える前記親機と、を備え、
前記第２制御部は、発信者番号を受信した場合、前記第２無線部を介して、発信者番号を前記子機に送信し、
前記第１制御部は、前記第１無線部を介して、発信者番号を受信した場合、前記記憶部に記憶されている電話帳から、発信者番号が含まれる電話帳を検索し、該当する電話帳を、前記第１無線部を介して、前記親機に送信し、
前記第２制御部は、前記第２無線部を介して、電話帳を受信した場合、前記報知部により、電話帳に含まれる情報を報知し、
前記子機は、複数であり、
前記第２制御部は、発信者番号を受信した場合、前記第２無線部を介して、発信者番号を複数の前記子機に送信し、
前記第２制御部は、前記第２無線部を介して、複数の電話帳を受信した場合、複数の電話帳からいずれか１つを選択し、前記報知部により、選択した電話帳に含まれる情報を報知し、
複数の前記子機は、それぞれ、子機番号を有し、
前記第１制御部は、前記第１無線部を介して、発信者番号を受信した場合、前記記憶部に記憶されている電話帳から、発信者番号が含まれる電話帳を検索し、該当する電話帳と子機番号とを、前記第１無線部を介して、前記親機に送信し、
前記第２制御部は、前記第２無線部を介して、複数の電話帳と複数の子機番号とを受信した場合、最も小さい子機番号に対応する電話帳を選択し、前記報知部により、選択した電話帳に含まれる情報を報知することを特徴とする電話機。
【請求項４】
電話帳を記憶する記憶部と、
親機と無線通信を行う第１無線部と、
第１制御部と、を備える子機と、
前記子機と無線通信を行う第２無線部と、
報知部と、
第２制御部と、を備える前記親機と、を備え、
前記第２制御部は、発信者番号を受信した場合、前記第２無線部を介して、発信者番号を前記子機に送信し、
前記第１制御部は、前記第１無線部を介して、発信者番号を受信した場合、前記記憶部に記憶されている電話帳から、発信者番号が含まれる電話帳を検索し、該当する電話帳を、前記第１無線部を介して、前記親機に送信し、
前記第２制御部は、前記第２無線部を介して、電話帳を受信した場合、前記報知部により、電話帳に含まれる情報を報知し、
前記子機は、複数であり、
前記第２制御部は、発信者番号を受信した場合、前記第２無線部を介して、発信者番号を複数の前記子機に送信し、
前記第２制御部は、前記第２無線部を介して、複数の電話帳を受信した場合、複数の電話帳からいずれか１つを選択し、前記報知部により、選択した電話帳に含まれる情報を報知し、
複数の前記子機は、それぞれ、子機番号を有し、
前記第１制御部は、前記第１無線部を介して、発信者番号を受信した場合、前記記憶部に記憶されている電話帳から、発信者番号が含まれる電話帳を検索し、該当する電話帳と子機番号とを、前記第１無線部を介して、前記親機に送信し、
前記第２制御部は、前記第２無線部を介して、複数の電話帳と複数の子機番号とを受信した場合、最も大きい子機番号に対応する電話帳を選択し、前記報知部により、選択した電話帳に含まれる情報を報知することを特徴とする電話機。
【請求項５】
電話帳を記憶する記憶部と、
親機と無線通信を行う第１無線部と、
第１制御部と、を備える子機と、
前記子機と無線通信を行う第２無線部と、
報知部と、
第２制御部と、を備える前記親機と、を備え、
前記第２制御部は、発信者番号を受信した場合、前記第２無線部を介して、発信者番号を前記子機に送信し、
前記第１制御部は、前記第１無線部を介して、発信者番号を受信した場合、前記記憶部に記憶されている電話帳から、発信者番号が含まれる電話帳を検索し、該当する電話帳を、前記第１無線部を介して、前記親機に送信し、
前記第２制御部は、前記第２無線部を介して、電話帳を受信した場合、前記報知部により、電話帳に含まれる情報を報知し、
前記子機は、複数であり、
前記第２制御部は、発信者番号を受信した場合、前記第２無線部を介して、発信者番号を複数の前記子機に送信し、
前記第２制御部は、前記第２無線部を介して、複数の電話帳を受信した場合、複数の電話帳からいずれか１つを選択し、前記報知部により、選択した電話帳に含まれる情報を報知し、
前記第２制御部は、前記第２無線部を介して、複数の電話帳を受信した場合、五十音で最も小さい名前が含まれる電話帳を選択し、前記報知部により、選択した電話帳に含まれる情報を報知することを特徴とする電話機。
【請求項６】
電話帳を記憶する記憶部と、
親機と無線通信を行う第１無線部と、
第１制御部と、を備える子機と、
前記子機と無線通信を行う第２無線部と、
報知部と、
第２制御部と、を備える前記親機と、を備え、
前記第２制御部は、発信者番号を受信した場合、前記第２無線部を介して、発信者番号を前記子機に送信し、
前記第１制御部は、前記第１無線部を介して、発信者番号を受信した場合、前記記憶部に記憶されている電話帳から、発信者番号が含まれる電話帳を検索し、該当する電話帳を、前記第１無線部を介して、前記親機に送信し、
前記第２制御部は、前記第２無線部を介して、電話帳を受信した場合、前記報知部により、電話帳に含まれる情報を報知し、
前記子機は、複数であり、
前記第２制御部は、発信者番号を受信した場合、前記第２無線部を介して、発信者番号を複数の前記子機に送信し、
前記第２制御部は、前記第２無線部を介して、複数の電話帳を受信した場合、複数の電話帳からいずれか１つを選択し、前記報知部により、選択した電話帳に含まれる情報を報知し、
前記第２制御部は、前記第２無線部を介して、複数の電話帳を受信した場合、五十音で最も大きい名前が含まれる電話帳を選択し、前記報知部により、選択した電話帳に含まれる情報を報知することを特徴とする電話機。
【請求項７】
前記報知部は、表示部であり、
前記第２制御部は、前記表示部により、電話帳に含まれる情報を表示することを特徴とする請求項１〜６のいずれ１項に記載の電話機。
【請求項８】
前記報知部は、音声再生部であり、
前記第２制御部は、前記音声再生部により、電話帳に含まれる情報に対応する音を再生することを特徴とする請求項１〜６のいずれ１項に記載の電話機。
【発明の詳細な説明】
【技術分野】
【０００１】
本発明は、電話機に関する。
【背景技術】
【０００２】
親機と子機とが無線で通信するコードレス電話機において、親機の表示部に発信者番号を表示するナンバーディスプレイ機能を有するものがある（例えば、特許文献１参照。）。ナンバーディスプレイ機能を有する電話機は、着信時、親機に記憶されている電話帳に発信者番号に該当する電話帳があった場合、親機の表示部に発信者番号と電話帳の名前とを表示する。また、着信時、親機に記憶されている電話帳に発信者番号に該当する電話帳があった場合、発信者番号に名前情報を追加して、子機に送信する。発信者番号と名前情報とを受信した子機において、子機の表示部に発信者番号と名前情報とを表示する。なお、例えば、電話帳に付加されている着信メロディーの情報も子機に送信され、子機において、着信メロディーを再生するというような機能も存在する。
【先行技術文献】
【特許文献】
【０００３】
【特許文献１】特許第５０１９３３０号公報
【発明の概要】
【発明が解決しようとする課題】
【０００４】
コードレス電話機において、親機の記憶部の容量を削減するため、親機が電話帳を記憶していない場合、親機の表示部に名前等の電話帳に含まれている情報を報知（表示、再生）することができない。
【０００５】
本発明の目的は、親機に電話帳が記憶されていないコードレス電話機において、電話帳に含まれている情報を親機で報知可能とすることである。
【課題を解決するための手段】
【０００６】
第１の発明の電話機は、電話帳を記憶する記憶部と、親機と無線通信を行う第１無線部と、第１制御部と、を備える子機と、前記子機と無線通信を行う第２無線部と、報知部と、第２制御部と、を備える前記親機と、を備え、前記第２制御部は、発信者番号を受信した場合、前記第２無線部を介して、発信者番号を前記子機に送信し、前記第１制御部は、前記第１無線部を介して、発信者番号を受信した場合、前記記憶部に記憶されている電話帳から、発信者番号が含まれる電話帳を検索し、該当する電話帳を、前記第１無線部を介して、前記親機に送信し、前記第２制御部は、前記第２無線部を介して、電話帳を受信した場合、前記報知部により、電話帳に含まれる情報を報知することを特徴とする。
【０００７】
本発明では、子機の第１制御部は、第１無線部を介して、発信者番号を受信した場合、記憶部に記憶されている電話帳から、発信者番号が含まれる電話帳を検索し、該当する電話帳を、第１無線部を介して、親機に送信する。親機の第２制御部は、第２無線部を介して、電話帳を受信した場合、報知部により、電話帳に含まれる情報を報知する。これにより、親機に電話帳が記憶されていないコードレス電話機において、電話帳に含まれている情報を親機で報知することができる。
【０００８】
第２の発明の電話機は、第１の発明の電話機において、前記子機は、複数であり、前記第２制御部は、発信者番号を受信した場合、前記第２無線部を介して、発信者番号を複数の前記子機に送信し、前記第２制御部は、前記第２無線部を介して、複数の電話帳を受信した場合、複数の電話帳からいずれか１つを選択し、前記報知部により、選択した電話帳に含まれる情報を報知することを特徴とする。
【０００９】
本発明では、子機が複数存在する。そのため、第２制御部は、第２無線部を介して、複数の電話帳を受信した場合、複数の電話帳からいずれか１つを選択し、報知部により、選択した電話帳に含まれる情報を報知する。
【００１０】
第３の発明の電話機は、第２の発明の電話機において、前記第２制御部は、前記第２無線部を介して、複数の電話帳を受信した場合、文字数が最も多い名前が含まれる電話帳を選択し、前記報知部により、選択した電話帳に含まれる情報を報知することを特徴とする。
【００１１】
本発明では、第２制御部は、第２無線部を介して、複数の電話帳を受信した場合、文字数が最も多い名前が含まれる電話帳を選択し、報知部により、選択した電話帳に含まれる情報を報知する。これにより、文字数が多い、フルネームの名前が含まれる可能性が高い電話帳に含まれる情報が報知される。
【００１２】
第４の発明の電話機は、第２の発明の電話機において、前記第２制御部は、前記第２無線部を介して、複数の電話帳を受信した場合、文字数が最も少ない名前が含まれる電話帳を選択し、前記報知部により、選択した電話帳に含まれる情報を報知することを特徴とする。
【００１３】
第５の発明の電話機は、第２の発明の電話機において、複数の前記子機は、それぞれ、子機番号を有し、前記第１制御部は、前記第１無線部を介して、発信者番号を受信した場合、前記記憶部に記憶されている電話帳から、発信者番号が含まれる電話帳を検索し、該当する電話帳と子機番号とを、前記第１無線部を介して、前記親機に送信し、前記第２制御部は、前記第２無線部を介して、複数の電話帳と複数の子機番号とを受信した場合、最も小さい子機番号に対応する電話帳を選択し、前記報知部により、選択した電話帳に含まれる情報を報知することを特徴とする。
【００１４】
第６の発明の電話機は、第２の発明の電話機において、複数の前記子機は、それぞれ、子機番号を有し、前記第１制御部は、前記第１無線部を介して、発信者番号を受信した場合、前記記憶部に記憶されている電話帳から、発信者番号が含まれる電話帳を検索し、該当する電話帳と子機番号とを、前記第１無線部を介して、前記親機に送信し、前記第２制御部は、前記第２無線部を介して、複数の電話帳と複数の子機番号とを受信した場合、最も大きい子機番号に対応する電話帳を選択し、前記報知部により、選択した電話帳に含まれる情報を報知することを特徴とする。
【００１５】
第７の発明の電話機は、第２の発明の電話機において、前記第２制御部は、前記第２無線部を介して、複数の電話帳を受信した場合、五十音で最も小さい名前が含まれる電話帳を選択し、前記報知部により、選択した電話帳に含まれる情報を報知することを特徴とする。
【００１６】
第８の発明の電話機は、第２の発明の電話機において、前記第２制御部は、前記第２無線部を介して、複数の電話帳を受信した場合、五十音で最も大きい名前が含まれる電話帳を選択し、前記報知部により、選択した電話帳に含まれる情報を報知することを特徴とする。
【００１７】
第９の発明の電話機は、第１〜第８の発明のいずれかの電話機において、前記報知部は、表示部であり、前記第２制御部は、前記表示部により、電話帳に含まれる情報を表示することを特徴とする。
【００１８】
第１０の発明の電話機は、第１〜第８の発明のいずれかの電話機において、前記報知部は、音声再生部であり、前記第２制御部は、前記音声再生部により、電話帳に含まれる情報に対応する音を再生することを特徴とする。
【発明の効果】
【００１９】
本発明によれば、親機に電話帳が記憶されていないコードレス電話機において、電話帳に含まれている情報を親機で報知することができる。
【図面の簡単な説明】
【００２０】
【図１】本発明の実施形態に係る電話機の構成を示すブロック図である。
【図２】親機と子機との無線通信を示すシーケンス図である。
【図３】外線を着信した場合の親機の処理動作を示すフローチャートである。
【図４】外線を着信した場合の子機の処理動作を示すフローチャートである。
【発明を実施するための形態】
【００２１】
以下、本発明の実施形態について説明する。図１は、本発明の実施形態に係る電話機の構成を示すブロック図である。図１に示すように、電話機１は、親機２と、子機３ａ、３ｂと、を備える。親機２は、主制御部２１と、ＲＡＭ（Random Access Memory）２２と、不揮発性メモリ２３と、公衆回線制御部２４と、無線部２５と、表示部２６と、音声再生部２７と、スピーカ２８と、を備える。
【００２２】
主制御部２１（第２制御部）は、不揮発性メモリ２３に記憶されている制御プログラムに従って、親機２を構成する各部を制御する。ＲＡＭ２２は、主制御部２１の主メモリとして機能する。不揮発性メモリ２３は、制御プログラム等を記憶している。公衆回線制御部２４は、公衆回線を制御して、電話を掛ける、電話を切る処理を行う。公衆回線制御部２４は、公衆回線に接続されている。主制御部２１は、公衆回線制御部２４を制御して、他の電話機と通話を行うことができる。
【００２３】
無線部２５（第２無線部）は、子機３と無線通信を行う。例えば、主制御部２１は、無線部２５を介して、受信した発信者番号を子機３に送信する。表示部２６（報知部）は、発信者番号、電話帳に含まれる名前情報等を表示するＬＣＤである。
【００２４】
音声再生部２７（報知部）は、音声信号をスピーカ２８に出力して、音声を再生する。例えば、音声再生部２７は、不揮発性メモリ２３に記憶されている着信メロディーをスピーカ２８に出力して、着信メロディーを再生する。スピーカ２８は、音声信号に従って、外部に音声を出力する。
【００２５】
子機３ａは、主制御部３１ａと、ＲＡＭ３２ａと、不揮発性メモリ３３ａと、表示部３４ａと、無線部３５ａと、を備える。子機３ｂは、主制御部３１ｂと、ＲＡＭ３２ｂと、不揮発性メモリ３３ｂと、表示部３４ｂと、無線部３５ｂと、を備える。子機３ａと子機３ｂとは、同一の構成である。ここでは、子機３ａについて説明し、子機３ｂについての説明は省略する。
【００２６】
主制御部３１ａ（第１制御部）は、不揮発性メモリ３３ａに記憶されている制御プログラムに従って、子機３ａを構成する各部を制御する。ＲＡＭ３２ａは、主制御部３１ａの主メモリとして機能する。不揮発性メモリ３３ａ（記憶部）は、制御プログラム等を記憶している。また、不揮発性メモリ３３ａは、電話帳を記憶している。電話帳には、電話番号、名前情報、着信メロディーの情報等が含まれている。表示部３４ａは、発信者番号、電話帳に含まれる名前情報等を表示するＬＣＤである。無線部３５ａ（第１無線部）は、親機２と無線通信を行う。例えば、主制御部３１ａは、無線部３５ａを介して、親機２から送信される発信者番号を受信する。
【００２７】
以下、外線を着信した場合の親機２と子機３との無線通信を、図２に示すシーケンスに基づいて説明する。子機３ａと子機３ｂとは同一の動作を行うため、「ａ」、「ｂ」の符号を省略して説明する。親機２の主制御部２１は、公衆回線制御部２４を介して、外線を着信した場合（１）、無線部２５を介して、外線着信を子機３に通知する（３）。子機３の主制御部３１は、無線部３５を介して、外線着信が通知された場合、表示部３４に着信を表示する（３）。親機２の主制御部２１は、公衆回線制御部２４を介して、発信者番号を受信した場合（５）、無線部２５を介して、発信者番号を子機３に送信する（５）。
【００２８】
子機３の主制御部３１は、無線部３５を介して、発信者番号を受信した場合、不揮発性メモリ３３に記憶されている電話帳から、発信者番号が含まれる電話帳を検索する（６）。主制御部３１は、検索が終了した場合（７）、無線部３５を介して、該当する電話帳を親機２に送信する（８）。親機２の主制御部２１は、無線部２５を介して、電話帳を受信した場合、表示部２６により、電話帳に含まれる名前情報を表示する（９）。
【００２９】
以下、外線を着信した場合の親機２の処理動作を、図３に示すフローチャートに基づいて説明する。親機２の主制御部２１は、無線部２５を介して、発信者番号を全ての子機３に送信する（Ｓ１）。次に、主制御部２１は、受信時間タイマーをスタートさせる（Ｓ２）。次に、主制御部２１は、全ての圏内子機３から応答があったか否かを判断する（Ｓ３）。主制御部２１は、全ての圏内子機３から応答がないと判断した場合（Ｓ３：Ｎｏ）、受信時間タイマーが満了しているか否かを判断する（Ｓ４）。主制御部２１は、受信時間タイマーが満了していないと判断した場合（Ｓ４：Ｎｏ）、Ｓ３の処理を実行する。
【００３０】
主制御部２１は、受信時間タイマーが満了していると判断した場合（Ｓ４：Ｙｅｓ）、子機３からの応答が１台でもあったか否かを判断する（Ｓ５）。主制御部２１は、子機３からの応答が１台でもあったと判断した場合（Ｓ５：Ｙｅｓ）、名前情報の文字数が最も多いものをtext[12]に格納する（Ｓ６）。そして、主制御部２１は、表示部２６に、名前情報text[12]を表示する（Ｓ７）。主制御部２１は、子機３からの応答が１台もないと判断した場合は（Ｓ５：Ｎｏ）、処理を終了する。なお、子機３の主制御部３１は、無線部３５を介して、名前情報と、子機３の子機番号と、を親機２に送信する。親機２の主制御部２１は、名前情報の文字数が同一であった場合、小さい子機番号に対応する名前情報を選択して、表示部２６に表示する。
【００３１】
次に、外線を着信した場合の子機３の処理動作を、図４に示すフローチャートに基づいて説明する。子機３ａと子機３ｂとは同一の動作を行うため、「ａ」、「ｂ」の符号を省略して説明する。子機３の主制御部３１は、無線部３５を介して、発信者番号を受信した場合（Ｓ１１）、不揮発性メモリ３３に記憶されている電話帳から、発信者番号（電話番号）が含まれる電話帳を検索する（Ｓ１２）。次に、主制御部３１は、発信者番号に該当する電話帳があるか否かを判断する（Ｓ１３）。主制御部３１は、発信者番号に該当する電話帳があると判断した場合（Ｓ１３：Ｙｅｓ）、無線部３５を介して、親機２に電話帳に含まれる名前情報を送信する（Ｓ１４）。主制御部３１は、発信者番号に該当する電話帳がないと判断した場合（Ｓ１３：Ｎｏ）、無線部３５を介して、親機２に名前情報なしを送信する（Ｓ１４）。なお、ここでは、子機３は、電話帳に含まれる名前情報を親機２に送信するようになっている。図２で説明したように、子機３は、電話帳を親機３に送信してもよい。
【００３２】
以上説明したように、本実施形態では、子機３の主制御部３１は、無線部３５を介して、発信者番号を受信した場合、不揮発性メモリ３３に記憶されている電話帳から、発信者番号が含まれる電話帳を検索し、該当する電話帳を、無線部３５を介して、親機２に送信する。親機２の主制御部２１は、無線部２５を介して、電話帳を受信した場合、表示部２６により、電話帳に含まれる名前情報を表示する。これにより、親機２に電話帳が記憶されていないコードレス電話機１において、電話帳に含まれている名前情報を親機２で表示することができる。
【００３３】
また、本実施形態では、子機３が複数存在する（子機３ａ、３ｂ）。そのため、親機２の主制御部２１は、無線部２５を介して、複数の電話帳を受信した場合、複数の電話帳からいずれか１つを選択し、表示部２６により、選択した電話帳に含まれる情報を表示する。
【００３４】
また、本実施形態では、親機２の主制御部２１は、無線部２５を介して、複数の電話帳を受信した場合、文字数が最も多い名前情報が含まれる電話帳を選択し、表示部２６により、選択した電話帳に含まれる名前情報を表示する。これにより、文字数が多い、フルネームの名前情報が含まれる可能性が高い電話帳に含まれる名前情報が表示される。
【００３５】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３６】
上述の実施形態においては、親機２の主制御部２１は、電話帳に含まれる名前情報を、表示部２６により表示することで、電話帳に含まれる情報が報知されるようになっている。これに限らず、例えば、親機２の主制御部２１は、電話帳に含まれる着信メロディー情報に対応する着信メロディーをスピーカ２８に出力して、着信メロディーを再生するようになっていてもよい。
【００３７】
上述の実施形態においては、親機２の主制御部２１は、無線部２５を介して、複数の電話帳を受信した場合、文字数が最も多い名前情報が含まれる電話帳を選択し、表示部２６により、選択した電話帳に含まれる名前情報を表示するようになっている。これに限らず、主制御部２１は、無線部２５を介して、複数の電話帳を受信した場合、最も小さい子機番号に対応する電話帳を選択し、表示部２６により、選択した電話帳に含まれる名前情報を表示するようになっていてもよい。また、主制御部２１は、複数の電話帳を受信した場合、最も大きい子機番号に対応する電話帳を選択し、表示部２６により、選択した電話帳に含まれる名前情報を表示するようになっていてもよい。
【００３８】
また、主制御部２１は、無線部２５を介して、複数の電話帳を受信した場合、五十音で最も小さい名前情報が含まれる電話帳を選択し、表示部２６により、選択した電話帳に含まれる名前情報を表示するようになっていてもよい。また、主制御部２１は、無線部２５を介して、複数の電話帳を受信した場合、五十音で最も大きい名前情報が含まれる電話帳を選択し、表示部２６により、選択した電話帳に含まれる名前情報を表示するようになっていてもよい。また、主制御部２１は、無線部２５を介して、複数の電話帳を受信した場合、文字数が最も少ない名前情報が含まれる電話帳を選択し、表示部２６により、選択した電話帳に含まれる名前情報を表示するようになっていてもよい。
【００３９】
上述の実施形態では、子機３は、複数台（２台）であった。これに限らず、１台であってもよい。また、子機３は、３台以上であってもよい。
【産業上の利用可能性】
【００４０】
本発明は、電話機に好適に採用され得る。
【符号の説明】
【００４１】
１  電話機
２  親機
２１  主制御部（第２制御部）
２４  公衆回線制御部
２５  無線部（第２無線部）
２６  表示部（報知部）
２７  音声再生部（報知部）
２８  スピーカ
３ａ、３ｂ  子機
３１ａ、３１ｂ  主制御部（第１制御部）
３３ａ、３３ｂ  不揮発性メモリ（記憶部）
３４ａ、３４ｂ  表示部
３５ａ、３５ｂ  無線部（第１無線部）
【図１】
0006583044.tif 000002
【図２】
0006583044.tif 000003
【図３】
0006583044.tif 000004
【図４】
0006583044.tif 000005